(57)【要約】【課題】視聴するコンテンツを切り換えたときであっても、ユーザが音量調整を行う手間を軽減することができるコンテンツ再生装置を提供する。【解決手段】  コンテンツ再生装置は、コンテンツを受信するネットワークインタフェース１０１と、コンテンツの音声レベルに関する評価値を算出する音声レベル検出部１０５と、視聴中のコンテンツの音声レベルに関する第１の評価値と、次に視聴するコンテンツの音声レベルに関する第２の評価値とを比較し、２つの前記評価値に差異があるときは、前記第１の評価値と前記第２の評価値との差異が抑制されるように次に視聴するコンテンツの音声レベルを補正する音声レベル補正部１０６とを有する。【選択図】図１
2010050629.tif 000002
【特許請求の範囲】
【請求項１】
コンテンツを受信する受信手段と、
前記コンテンツの音声レベルに関する評価値を算出する算出手段と、
視聴中のコンテンツの音声レベルに関する第１の評価値と、次に視聴するコンテンツの音声レベルに関する第２の評価値とを比較し、２つの前記評価値に差異があるときは、前記第１の評価値と前記第２の評価値との差異が抑制されるように前記次に視聴するコンテンツの音声レベルを補正する補正手段と、
を有することを特徴とするコンテンツ再生装置。
【請求項２】
前記受信手段が受信したコンテンツを一時記録するバッファ手段、を更に備え、
前記バッファ手段によるバッファリングと前記算出手段による前記評価値の算出動作とを並列に行う、
ことを特徴とする請求項１に記載のコンテンツ再生装置。
【請求項３】
前記評価値は、前記コンテンツの音声レベルの平均値であることを特徴とする請求項１記載のコンテンツ再生装置。
【請求項４】
配信サーバとコンテンツ再生装置とが通信回線を介して接続されたコンテンツ再生システムであって、
前記コンテンツ再生装置は、
視聴中の第１のコンテンツの音声レベルに関する第１の評価値を算出する第１の算出手段と、
前記第１の評価値を含むコンテンツ配信要求を前記配信サーバへ送信する送信手段と、
前記配信サーバから配信され前記コンテンツ配信要求に対応するコンテンツを受信する受信手段と、を有し、
前記配信サーバは、
前記コンテンツ再生装置の前記送信手段から送信されるコンテンツ配信要求を受信する配信要求受信手段と、
前記配信要求受信手段が受信したコンテンツ配信要求に対応する第２のコンテンツの音声レベルに関する第２の評価値を算出する第２の算出手段と、
前記第１の評価値と、前記第２の評価値とを比較し、２つの前記評価値に差異があるときは、前記第１の評価値と前記第２の評価値との差異が抑制されるように前記第２のコンテンツの音声レベルを補正する補正手段と、
前記補正手段によって音声レベルが補正された後の前記第２のコンテンツを前記コンテンツ再生装置に配信する配信手段と、を有する、
ことを特徴とするコンテンツ再生システム。
【請求項５】
前記評価値は、前記コンテンツの音声レベルの平均値であることを特徴とする請求項４記載のコンテンツ再生装置。
【請求項６】
コンテンツを受信するステップと、
前記コンテンツの音声レベルに関する評価値を算出するステップと、
視聴中のコンテンツの音声レベルに関する第１の評価値と、次に視聴するコンテンツの音声レベルに関する第２の評価値とを比較し、２つの前記評価値に差異があるときは、前記第１の評価値と前記第２の評価値との差異が抑制されるように前記次に視聴するコンテンツの音声レベルを補正するステップと、
を有することを特徴とするコンテンツ再生方法。
【請求項７】
前記評価値は、前記コンテンツの音声レベルの平均値であることを特徴とする請求項６記載のコンテンツ再生方法。
【発明の詳細な説明】
【技術分野】
【０００１】
本発明は、コンテンツ再生装置、コンテンツ再生システム、およびコンテンツ再生方法に関するものである。
【背景技術】
【０００２】
従来、ＶＯＤ（Ｖｉｄｅｏ  Ｏｎ  Ｄｅｍａｎｄ）で配信されるコンテンツやビデオカメラ等で撮影したプライベートコンテンツなどは、コンテンツごとに音声レベルが異なることがある。そのため、ユーザは、コンテンツを再生するとき、コンテンツごとに音量を調整する必要があった。特に、プライベートコンテンツについては、コンテンツごとに音声レベルが大きく異なる可能性が高いため、ユーザは一層頻繁に音量を調整する必要があった。
【０００３】
特許文献１は、再生に先立ち、受信したコンテンツの音声レベルを検出し、ある固定の閾値に基づき当該コンテンツの音声の出力レベルを変更するコンテンツ再生装置を提案している。
【特許文献１】特開２００３−１３４４１９号公報
【発明の開示】
【発明が解決しようとする課題】
【０００４】
しかしながら、特許文献１に記載されている技術では、ユーザが放送コンテンツの視聴からネットワーク経由で受信したコンテンツ（以下「配信コンテンツ」という。）の視聴に切り換えたとき、依然としてユーザは音量を調整しなければならない場合がある。すなわち、特許文献１の技術は、現在視聴している放送コンテンツの音声レベルを考慮せず、固定の閾値を用いて、次に視聴する配信コンテンツの音声レベルを補正している。したがって、現在視聴している放送コンテンツの音声レベルと固定の閾値に基づき補正された配信コンテンツの音声レベルとの差異が大きい場合、ユーザは手動で音量調整を行う必要がある。
【０００５】
また、特許文献１では、配信コンテンツの音声レベルが、固定の閾値の範囲内である場合、音声レベルの補正を行わないため、配信コンテンツ間の音声レベルに差異が生じた場合、ユーザが手動で音量調整を行う必要がある。
【０００６】
そこで、本発明の課題は、視聴するコンテンツを切り換えたときであっても、ユーザが音量調整を行う手間を軽減することができるコンテンツ再生装置、コンテンツ再生システム、およびコンテンツ再生方法を提供することである。
【課題を解決するための手段】
【０００７】
本発明のコンテンツ再生装置は、コンテンツを受信する受信手段と、コンテンツの音声レベルに関する評価値を算出する算出手段と、視聴中のコンテンツの音声レベルに関する第１の評価値と、次に視聴するコンテンツの音声レベルに関する第２の評価値とを比較し、２つの評価値に差異があるときは、第１の評価値と第２の評価値との差異が抑制されるように前記次に視聴するコンテンツの音声レベルを補正する補正手段と、を有することを特徴とする。
【発明の効果】
【０００８】
本発明によれば、ユーザが視聴するコンテンツを切り換えるときに、視聴しているコンテンツの音声レベルと次に視聴するコンテンツの音声レベルとの差分が抑制されるように音声レベルを補正する。これにより、ユーザによる音量調整の操作が行われなくとも、次に視聴するコンテンツを適正な音声レベルで再生することができ、ユーザにとっての利便性を向上させることができる。
【発明を実施するための最良の形態】
【０００９】
以下、本発明を実施するための最良の形態について図面等を参照して説明する。
（第１実施形態）
【００１０】
図１は、第１実施形態に係るコンテンツ再生システムの構成を示すブロック図である。
図１に示すコンテンツ再生システムは、コンテンツ再生装置１００と配信サーバ２０１とが通信回線としてのネットワーク２００を介して接続されている。
【００１１】
コンテンツ再生装置１００は、ネットワークインタフェース１０１、バッファ１０２、チューナ１０３、復号部１０４、音声レベル検出部１０５、音声レベル補正部１０６、メモリ１０７、出力部１０８、および制御部１０９を備えている。
【００１２】
ネットワークインタフェース１０１は、ネットワーク２００と接続しており、ネットワーク２００を介して、配信サーバ２０１から配信される配信コンテンツを受信する。チューナ１０３は、受信手段として、放送コンテンツを受信する。バッファ１０２は、ネットワークインタフェース１０１が受信した配信コンテンツを一時記録する。復号部１０４は、バッファ１０２に一時記録された配信コンテンツ、およびチューナ１０３によって受信された放送コンテンツをそれぞれ復号する手段である。
【００１３】
音声レベル検出部１０５は、復号部１０４によって復号化されたコンテンツの音声レベルを検出し、この検出した結果を基に当該コンテンツの音声レベルに関する評価値（以下「音声レベルの評価値」という。）を算出する算出手段である。また音声レベル検出部１０５は、音声レベルの評価値を算出した場合、その旨を制御部１０９へ通知する。これにより、このようにして算出されたコンテンツの音声レベルの評価値は、制御部１０９によってメモリ１０７に記憶される。
【００１４】
音声レベル補正部１０６は、補正手段として、コンテンツの音声レベルの補正を行い、補正後の音声レベルをメモリ１０７に記憶するとともに、補正結果（補正後の音声レベルを有するコンテンツ）を出力部１０８へ出力する。なお、コンテンツの音声レベルの補正を行うに際し、音声レベル補正部１０６は、記憶手段の一例であるメモリ１０７に記憶され現在視聴中のコンテンツの音声レベルに関する第１の評価値と、音声レベル検出部１０５によって算出されこれから（次に）視聴されるコンテンツの音声レベルに関する第２の評価値とを比較し、当該２つの評価値に差異があるときは、第１の評価値と第２の評価値との差異が抑制されるようにコンテンツの音声レベルを補正する。出力部１０８は、音声レベル補正部１０６からの補正後の音声レベルを有するコンテンツを再生する。なお、評価値の差異の抑制とは、２つの評価値の差異がなくなるか、または一定の範囲内となるようにすることをいう。
【００１５】
制御部１０９は、コンテンツ再生装置１００の制御を行う手段である。例えば、制御部１０９は、復号部１０４に対し復号化処理を実施するよう制御し、また音声レベル検出部１０５に対し音声レベルの評価値の算出処理を実施するよう制御し、さらに音声レベル補正部１０６に対し音声レベルの補正処理を実施すよう制御する。
【００１６】
図２は、配信コンテンツの音声レベルの補正処理の処理手順を示すフローチャートである。以下、視聴者が放送コンテンツの視聴中に配信コンテンツの視聴に切り換えた場合のコンテンツ再生装置１００によるコンテンツの音声レベルの補正処理について、図２を参照して説明する。
【００１７】
視聴者が放送コンテンツを視聴中しているとき、放送コンテンツは、復号部１０４によって復号化された後、音声レベル検出部１０５に送られている。音声レベル検出部１０５は、再生中の放送コンテンツの音声レベルを検出するとともに、この検出した結果を基に当該放送コンテンツの第１の音声レベルの評価値を算出する（ステップＳ１００）。
【００１８】
音声レベル検出部１０５は、図３に示すように、周期的例えば１秒ごとのコンテンツの音声レベルをサンプリングし、これらのサンプリング値（すなわち、音声レベル）の平均値を算出し、この平均値をコンテンツの音声レベルの評価値とする。なお、図３において、実線はコンテンツの音声レベルを示し、記号○はサンプリング値（サンプリング時点の音声レベル）を示し、点線はコンテンツの音声レベルの平均値を示している。
【００１９】
音声レベル検出部１０５は、上述したようにして放送コンテンツの音声レベルの評価値を算出した場合、その旨を制御部１０９へ通知する。その算出した旨の通知を受け取った制御部１０９は、音声レベル検出部１０５が算出した放送コンテンツの音声レベルの第１の評価値をメモリ１０７に記録する（ステップＳ１０１）。
【００２０】
次に、視聴者が放送コンテンツの視聴からネットワーク経由で受信される配信コンテンツの視聴に切り換えたとき、制御部１０９は、ネットワークインタフェース１０１を介して、配信サーバ２０１から配信される配信コンテンツを受信し、この受信した配信コンテンツをバッファ１０２に一時記録する（ステップＳ１０２）。
【００２１】
ステップＳ１０２を終了した制御部１０９は、復号部１０４に対し復号化処理を実施するよう制御するとともに、音声レベル検出部１０５に対し音声レベルの評価値の算出処理を実施するよう制御する。復号部１０４は、バッファ１０２に一時記録されている配信コンテンツを読み出して復号化し、該復号化した配信コンテンツを音声レベル検出部１０５に与える。
【００２２】
復号部１０４からの配信コンテンツを受け取った音声レベル検出部１０５は、当該配信コンテンツの音声レベルを検出するとともに、この検出した結果を基に当該配信コンテンツの音声レベルの第２の評価値を算出する（ステップＳ１０３）。このステップＳ１０３で算出される音声レベルの第２の評価値は、ステップＳ１００での音声レベルの評価値の算出処理と同様にして求められる。
【００２３】
このとき、制御部１０９は、配信サーバ２０１から配信される配信コンテンツをバッファ１０２に一時記録する処理と、受信した配信コンテンツの音声レベルの評価値の算出処理とを並列して行う。すなわち、バッファ１０２による配信コンテンツのバッファリングと、音声レベル検出部１０５による配信コンテンツの音声レベルの評価値の算出動作とを並列に行う。
【００２４】
制御部１０９は、配信コンテンツの一時記録が完了したかを確認し（ステップＳ１０４）、このステップＳ１０４において、配信コンテンツの一時記録が完了したと確認した場合にはステップＳ１０５へ移行し、一方、配信コンテンツの一時記録が完了していないと確認した場合はステップＳ１０２へ移行する。
【００２５】
このとき、音声レベル検出部１０５による視聴中の放送コンテンツの音声レベルの評価値の算出処理と、ネットワーク経由で受信された配信コンテンツに対する制御部１０９によるバッファ１０２への一時記録、復号部１０４による復号化および音声レベル検出部１０５による音声レベルの評価値の算出処理とは並列して行うことも可能である。
【００２６】
制御部１０９は、視聴中の放送コンテンツの音声レベルの評価値をメモリ１０７から取得し（ステップＳ１０５）、この取得した視聴中の放送コンテンツの音声レベルの評価値と受信された配信コンテンツの音声レベルの評価値とを比較する（ステップＳ１０６）。
【００２７】
制御部１０９は、ステップＳ１０６において、上記２つの音声レベルの評価値が異なる場合にはステップＳ１０７へ移行し、一方、上記２つの音声レベルの評価値が同一の場合はステップＳ１０８へ移行する。
【００２８】
制御部１０９は、受信された配信コンテンツの音声レベルの評価値が、視聴中の放送コンテンツの音声レベルの評価値と異なる場合、音声レベル補正部１０６に対し音声レベルの補正処理を実施するよう制御する。
【００２９】
音声レベル補正部１０６は、ステップＳ１０５で取得された視聴中の放送コンテンツの音声レベルの評価値と受信された配信コンテンツの音声レベルの評価値とが異なる場合、図４に示すよう、受信された配信コンテンツの音声レベルの評価値と、視聴中の放送コンテンツの音声レベルの評価値とが同一になるよう、当該受信された配信コンテンツの音声レベルを補正する（ステップＳ１０７）。
【００３０】
すなわち、音声レベル補正部１０６は、受信された配信コンテンツの音声レベルの評価値が、視聴中の放送コンテンツの音声レベルの評価値よりも小さい場合、図４に示すように、当該受信された配信コンテンツの音声レベルの評価値が当該視聴中の放送コンテンツの音声レベルの評価値と同一になるよう、当該受信された配信コンテンツの音声レベルを補正する。
【００３１】
なお、図４において、符号４０１で示される太い実線は放送コンテンツの音声レベルを示し、符号４０２で示される細い実線は配信コンテンツの音声レベルを示し、符号４０３で示される一点鎖線は音声レベル補正後の配信コンテンツの音声レベルを示し、符号４１０で示される太い点線は放送コンテンツの音声レベルの評価値を示し、符号４２０で示される細い点線は配信コンテンツの音声レベルの評価値を示す。
【００３２】
図４においては、符号４２０で示される配信コンテンツの音声レベルの評価値が、符号４１０で示される放送コンテンツの音声レベルの評価値よりも小さい。したがって、配信コンテンツの音声レベルの評価値が視聴中の放送コンテンツの音声レベルの評価値と同一になるように、符号４０２で示される配信コンテンツの音声レベルが、符号４０３で示される配信コンテンツの音声レベルに補正される。この場合、音声レベル補正部１０６は、符号４０２で示される配信コンテンツの音声レベルを、全体的に引き上げるべく補正を行う。
【００３３】
音声レベル補正部１０６は、受信された配信コンテンツの音声レベルの評価値が、視聴中の放送コンテンツの音声レベルの評価値よりも大きい場合、音声レベル補正部１０６は、符号４０２で示される配信コンテンツの音声レベルを、全体的に引き下げるべく補正を行う。
【００３４】
制御部１０９は、ステップＳ１０７において音声レベル補正部１０６による音声レベルの補正処理が行われた補正後の配信コンテンツの音声レベルの評価値をメモリ１０７に記録し（ステップＳ１０８）、その後、音声レベル補正部１０６に対し、その補正後の配信コンテンツを出力するよう制御する。
【００３５】
なお、ステップＳ１０６において、視聴中の放送コンテンツの音声レベルの評価値と受信された配信コンテンツの音声レベルの評価値とが同一であった場合に、ステップＳ１０８が実行されるときは、当該受信された配信コンテンツの音声レベルの評価値が補正後の配信コンテンツの音声レベルの評価値としてメモリ１０７に記録されることになる。
【００３６】
音声レベル補正部１０６が制御部１０９の制御にしたがって補正後の配信コンテンツの音声レベルの評価値を出力部１０８に与えると、出力部１０８は、音声レベル補正部１０６からの補正後の音声レベルを有するコンテンツを再生する。
【００３７】
図５は、視聴者がネットワーク経由で受信された配信コンテンツの視聴中に、配信コンテンツの視聴に切り換えた場合の補正処理の手順を示すフローチャートである。
視聴者が別の配信コンテンツの視聴に切り換えたとき、制御部１０９は、ネットワークインタフェース１０１を介して、配信サーバ２０１から配信される配信コンテンツを受信し（ステップＳ２００）、バッファ１０２に一時記録する。
【００３８】
以降、ステップＳ２００からＳ２０６までの処理は、図２のステップＳ１０３からＳ１０８と同様である。
特に、ステップＳ２０４において、制御部１０９は、受信された配信コンテンツの音声レベルの評価値が、ステップＳ２０３で取得した現在視聴している配信コンテンツの補正後の音声レベルの評価値と異なる場合、音声レベル補正部１０６に対し音声レベルの補正処理を実施するよう制御する。
【００３９】
ステップＳ２０５では、音声レベル補正部１０６は、受信された配信コンテンツの音声レベルの評価値と、現在視聴している配信コンテンツの補正後の音声レベルの評価値とが同一になるよう、当該受信された配信コンテンツの音声レベルを補正する。補正処理は、上述した図４に示す処理と同様である。
【００４０】
以上説明したように、第１実施形態によれば、視聴者が放送コンテンツの視聴からネットワーク経由で受信される配信コンテンツの視聴に切り換えた場合、これまで視聴していたコンテンツの音声レベルを用いて、次に視聴するコンテンツの音声レベルを適切に補正されて再生することができる。ネットワーク経由で受信された配信コンテンツの視聴中に、別の配信コンテンツの視聴に切り換えた場合においても、音声レベルが適切に補正される。これにより、ユーザが手動で音量調整を行う必要性を低減させることができ、ユーザの利便性を向上させることができる。
【００４１】
なお、第１実施形態において、音声レベルの評価値として、１秒ごとのコンテンツの音声レベルをサンプリングし、平均値を算出し、この平均値をコンテンツの音声レベルの評価値とした。本発明は、これに限る事はなく、例えば１秒ごとの音声レベルの平均値を算出し、その平均値を音声レベルの評価値としてもよい。
【００４２】
また、第１実施形態において、配信コンテンツの音声レベルの補正方法として、視聴中の放送コンテンツの音声レベルの評価値と次に視聴する配信コンテンツの音声レベルの評価値とが同一になるよう補正を行ったが、本発明はこれに限定されることなく、次のようにしてもよい。
【００４３】
すなわち、視聴中の放送コンテンツの音声レベルの評価値と次に視聴する配信コンテンツの音声レベルの評価値との差分が予め設定される許容範囲を超える場合、２つの音声レベルの評価値の差分が許容範囲内になるように、次に視聴する配信コンテンツの音声レベルを補正するようにする。
【００４４】
（第２実施形態）
図６は、第２実施形態に係るコンテンツ再生システムの構成を示すブロック図である。
【００４５】
図６に示すコンテンツ再生システムは、図１の第１実施形態のコンテンツ再生システムの構成において、コンテンツ再生装置１００から音声レベル補正部１０６を削除し、また配信サーバ２０１に、送信手段であるネットワークインタフェース２０２、配信コンテンツ保存部２０３、音声レベル検出部２０４、音声レベル補正部２０５、および制御部２０６を追加した構成になっている。なお、図６において、図１に示した構成要素と同様の機能を果たす部分には同一の符号を付している。
【００４６】
この第２実施形態のコンテンツ再生システムでは、配信サーバ２０１側で、コンテンツの音声レベルを補正する。配信サーバ２０１において、ネットワークインタフェース２０２は、ネットワーク２００に接続されている。ネットワークインタフェース２０２は、ネットワーク２００を介して、コンテンツ再生装置１００から送信される配信コンテンツの要求（コンテンツ配信要求）を受信し、配信コンテンツの要求に対応する配信コンテンツをコンテンツ再生装置１００に向けて送信する。
【００４７】
配信コンテンツ保存部２０３は、記録装置であり、配信する配信コンテンツ（１つ以上の配信コンテンツ）を保存する手段である。音声レベル検出部２０４は、要求（コンテンツ配信要求）された配信コンテンツの音声レベルを検出し、この検出した結果を基に当該配信コンテンツの音声レベルの評価値を算出する手段である。音声レベル補正部２０５は、配信コンテンツの音声レベルの補正を行う手段である。
【００４８】
なお、コンテンツの音声レベルの補正を行うに際し、まず、配信要求受信手段としてのネットワークインタフェース２０２が配信コンテンツの要求を受信する。音声レベル補正部２０５は、配信コンテンツの要求に含まれる第１のコンテンツの音声レベルに関する第１の評価値と、音声レベル検出部（第２の算出手段）２０４によって算出された第２のコンテンツの音声レベルに関する第２の評価値とを比較する。音声レベル補正部２０５は、当該２つの評価値（音声レベルの評価値）に差異があるときは、第１の評価値と第２の評価値との差異が抑制されるように当該第２のコンテンツの音声レベルを補正する。
【００４９】
制御部２０６は、配信サーバ２０１の制御を行う。例えば、制御部２０６は、音声レベル検出部２０４に対し音声レベルの評価値の算出処理を実施するよう制御し、また音声レベル補正部２０５に対し音声レベルの補正処理を実施すよう制御する。
【００５０】
図７は、視聴者が放送コンテンツの視聴中に配信コンテンツの視聴に切り換えた場合の補正処理の手順を示すフローチャートである。
コンテンツ再生装置１００では、視聴者が放送コンテンツの視聴中においては、その放送コンテンツは、復号部１０４によって復号化された後、音声レベル検出部１０５に与えられる。
【００５１】
音声レベル検出部１０５は、与えられた放送コンテンツ（視聴中の放送コンテンツ）の音声レベルを検出するとともに、この検出した結果を基に当該放送コンテンツの音声レベルの評価値を算出する（ステップＳ３００）。
【００５２】
音声レベル検出部１０５は、上述したようにして放送コンテンツの音声レベルの評価値を算出した場合、その旨を制御部１０９へ通知する。その算出した旨の通知を受け取った制御部１０９は、音声レベル検出部１０５が算出した放送コンテンツの音声レベルの評価値（第１の評価値）をメモリ１０７に記録する（ステップＳ３０１）。
【００５３】
視聴者が放送コンテンツの視聴からネットワーク経由で受信される配信コンテンツの視聴に切り換えたとき、制御部１０９は、ネットワークインタフェース１０１を介して、配信サーバ２０１に配信コンテンツの要求（コンテンツ配信要求）とともにメモリ１０７に記憶されている視聴中の放送コンテンツの音声レベルの評価値を送信する（ステップＳ３０２）。
【００５４】
配信サーバ２０１では、制御部２０６は、ネットワークインタフェース２０２を介して、配信コンテンツの要求（コンテンツ配信要求）を受信するとともに（ステップＳ３０３）、配信コンテンツ保存部２０３に保存されている１つ以上の配信コンテンツの中のコンテンツ配信要求された配信コンテンツを取得し、その後、音声レベル検出部２０４に対し、取得した配信コンテンツを与えて、当該配信コンテンツの音声レベルの評価値の算出処理を実施するよう制御する。
【００５５】
音声レベル検出部２０４は、制御部２０６から与えられた配信コンテンツの音声レベルを検出するとともに、この検出した結果を基に当該配信コンテンツの音声レベルの評価値を算出する（ステップＳ３０４）。
【００５６】
そして、音声レベル検出部２０４が音声レベルの評価値の算出処理を終了した場合、その旨を制御部２０６へ通知すると、制御部２０６は、音声レベル補正部２０５に対し、音声レベルの補正処理を実施するよう制御する。
【００５７】
音声レベル補正部２０５は、ステップＳ３０４で算出された音声レベルの評価値（配信コンテンツの音声レベルの評価値＝第２の評価値）と、コンテンツ再生装置１００から送信された視聴中の放送コンテンツの音声レベルの評価値（第１の評価値）とを比較する（ステップＳ３０５）。
【００５８】
音声レベル補正部２０５は、ステップＳ３０５において、配信コンテンツの音声レベルの評価値（第２の評価値）と放送コンテンツの音声レベルの評価値（第１の評価値）とが異なる場合は、ステップＳ３０６へ移行する。
【００５９】
一方、ステップＳ３０５において、配信コンテンツの音声レベルの評価値（第２の評価値）と放送コンテンツの音声レベルの評価値（第１の評価値）とが同一の合は、ステップＳ３０７へ移行する。
【００６０】
音声レベル補正部１０６は、要求された配信コンテンツの音声レベルの第２の評価値と視聴中の放送コンテンツの音声レベルの第１の評価値とが異なる場合、２つの評価値が同一になるように、配信コンテンツの音声レベルを補正する（ステップＳ３０６）。この音声レベルの補正は、第１実施形態で図４を参照して説明した処理と同様である。
【００６１】
制御部２０６は、ネットワークインタフェース２０２を介して、ステップＳ３０６において音声レベル補正部２０５による音声レベルの補正処理が行われた補正後の配信コンテンツをコンテンツ再生装置１００に配信する（ステップＳ３０７）。
【００６２】
なお、ステップＳ３０５において、配信コンテンツの音声レベルの評価値と放送コンテンツの音声レベルの評価値とが同一であった場合に、ステップＳ３０７が実行されるときは、配信コンテンツがそのまま、コンテンツ再生装置１００に向けて配信されることになる。
【００６３】
さて、コンテンツ再生装置１００は、ネットワークインタフェース１０１を介して、配信サーバ２０１から配信される配信コンテンツを受信し（ステップＳ３０８）、この配信コンテンツを出力部１０８によって再生する。
【００６４】
第２実施形態では、放送コンテンツの視聴中にネットワーク経由で受信される配信コンテンツの視聴に切り換えた場合のコンテンツの音声レベルの補正処理について説明した。これに限られず、ある配信コンテンツの視聴中に、別の配信コンテンツの視聴に切り換えた場合においても、ステップＳ３０２で配信コンテンツの要求とともに送信する音声レベルの評価値を、視聴中の配信コンテンツの音声レベルの評価値とすることで、放送コンテンツの視聴中にネットワーク経由で受信される配信コンテンツの視聴に切り換えた場合と同様の効果を得ることができる。
【００６５】
なお、本発明はその精神、またはその主要な特徴から逸脱することなく、様々な形で実現する事が出来る。従って、前述の実施形態はあらゆる点に於いて単なる例示に過ぎず、限定的に解釈してはならない。
【図面の簡単な説明】
【００６６】
【図１】第１実施形態に係るコンテンツ再生システムの構成を示すブロック図である。
【図２】第１実施形態に係るコンテンツ再生装置によるコンテンツの音声レベルの補正処理の処理手順を示すフローチャートである。
【図３】第１実施形態に係る音声レベル検出部によるコンテンツの音声レベルの評価値の算出処理を説明する図である。
【図４】第１実施形態に係る音声レベル補正部によるコンテンツの音声レベルの補正を説明する図である。
【図５】第１実施形態に係るコンテンツ再生装置によるコンテンツの音声レベルの他の補正処理の処理手順を示すフローチャートである。
【図６】第２実施形態に係るコンテンツ再生システムの構成を示すブロック図である。
【図７】第２実施形態に係るコンテンツ再生システムによるコンテンツの音声レベルの補正処理の処理手順を示すフローチャートである。
【符号の説明】
【００６７】
１００    コンテンツ再生装置
１０１    ネットワークインタフェース
１０２    バッファ
１０３    チューナ
１０４    復号部
１０５    音声レベル検出部
１０６    音声レベル補正部
１０７    メモリ
１０８    出力部
１０９    制御部
２００    ネットワーク
２０１    配信サーバ
２０２    ネットワークインタフェース
２０３    配信コンテンツ保存部
２０４    音声レベル検出部
２０５    音声レベル補正部
２０６    制御部
【図１】
2010050629.tif 000003
【図２】
2010050629.tif 000004
【図３】
2010050629.tif 000005
【図４】
2010050629.tif 000006
【図５】
2010050629.tif 000007
【図６】
2010050629.tif 000008
【図７】
2010050629.tif 000009